(57)【要約】【課題】従来の装置では、ユーザは、表示部の表示を変更するために操作ボタン等を操作する必要があった。【解決手段】撮像装置は、表示部と、表示部とユーザとの距離を計測する距離計測部と、被写体を撮像して画像データを取得する撮像部と、距離計測部の計測結果に基づいて、表示部における画像データの画像表示および撮像部の機能設定表示の少なくとも一方の表示を変更する表示制御部とを備える。表示制御部は、距離計測部の計測結果に基づいて、表示部における画像表示および機能設定表示の一方から他方へ変更する。【選択図】図１１
2013008193.tif 000002
【特許請求の範囲】
【請求項１】
表示部と、
前記表示部とユーザとの距離を計測する距離計測部と、
被写体を撮像して画像データを取得する撮像部と、
前記距離計測部の計測結果に基づいて、前記表示部における前記画像データの画像表示および前記撮像部の機能設定表示の少なくとも一方の表示を変更する表示制御部と
を備える撮像装置。
【請求項２】
前記表示制御部は、前記距離計測部の計測結果に基づいて、前記表示部における前記画像表示および前記機能設定表示の一方から他方へ変更する請求項１に記載の撮像装置。
【請求項３】
前記表示制御部は、前記距離計測部の計測結果に基づいて、撮影モードにおける前記画像表示および再生モードにおける前記画像表示の一方から他方へ変更する請求項１または２に記載の撮像装置。
【請求項４】
前記表示制御部は、前記距離計測部の計測結果に基づいて、前記表示部における前記画像表示の内容を変更する請求項１から３のいずれか１項に記載の撮像装置。
【請求項５】
前記表示制御部は、撮影モードにおいて前記画像表示を行う場合に、前記距離計測部の計測結果に基づいて、前記撮像部の状態を表す状態情報を前記画像表示に重畳する請求項４に記載の撮像装置。
【請求項６】
複数枚の画像の前記画像データを記憶する画像記憶部を備え、
前記表示制御部は、再生モードにおいて前記画像表示を行う場合に、前記距離計測部の計測結果に基づいて、前記複数枚の画像のうち前記表示部に同時に表示する画像の表示枚数を変更する請求項４に記載の撮像装置。
【請求項７】
前記表示制御部は、前記表示部の中央部の表示画像を基準とし、前記距離計測部の計測結果に基づいて前記表示画像の周辺の画像の表示枚数を変更する請求項６に記載の撮像装置。
【請求項８】
前記表示制御部は、再生モードにおいて前記画像表示を行う場合に、前記距離計測部の計測結果に基づいて、前記画像表示に対して拡大処理および縮小処理のいずれかを実行する請求項４に記載の撮像装置。
【請求項９】
前記表示制御部は、撮影モードにおいて前記画像表示を行う場合に、前記距離計測部の計測結果に基づいて前記撮像部が実行するズームレンズの移動に伴って前記画像表示の画角を変更する請求項４に記載の撮像装置。
【請求項１０】
前記表示制御部は、再生モードにおいて前記画像表示を動画で行う場合に、前記距離計測部の計測結果に基づいて、動画再生速度を変更する請求項４に記載の撮像装置。
【請求項１１】
前記表示制御部は、前記距離計測部の計測結果に基づいて、前記表示部における前記機能設定表示の内容を変更する請求項１から１０のいずれか１項に記載の撮像装置。
【請求項１２】
前記表示制御部は、前記距離計測部の計測結果に基づいて、前記表示部における前記機能設定表示のカーソルの位置を変更する請求項１１に記載の撮像装置。
【請求項１３】
前記機能設定表示は、階層メニューを有し、
前記表示制御部は、前記距離計測部の計測結果に基づいて、前記表示部に表示する前記階層メニューの階層を変更する請求項１１に記載の撮像装置。
【請求項１４】
前記表示制御部は、前記距離計測部の計測結果が予め設定された範囲に属する場合には、前記表示部の表示状態を維持する請求項１から１３のいずれか１項に記載の撮像装置。
【請求項１５】
ユーザから、前記範囲の入力および前記範囲に対する前記表示状態の入力の少なくとも一方の入力を受け付ける受付部を備え、
前記表示制御部は、前記入力に基づいて、前記表示状態を維持する請求項１４記載の撮像装置。
【請求項１６】
前記距離計測部の計測結果に基づく表示の変更処理を実行しない場合において、ユーザの操作に応じた前記表示部の表示状態と、前記操作に連動して計測された前記距離計測部の計測結果とを対応付けた履歴を記憶する履歴記憶部を備え、
前記表示制御部は、前記履歴記憶部の履歴情報を参照して、前記表示部の表示を変更する請求項１から１５のいずれか１項に記載の撮像装置。
【請求項１７】
前記表示制御部は、前記距離の単位時間あたりの変化量を加味して、前記表示部の表示を変更する請求項１から１６のいずれか１項に記載の撮像装置。
【請求項１８】
前記表示制御部は、前記距離計測部の計測結果がエラーを示す場合に、前記表示部の表示状態を維持する請求項１から１７のいずれか１項に記載の撮像装置。
【請求項１９】
前記表示制御部は、前記距離計測部の計測結果に基づいて、前記表示部の輝度を変更する請求項１から１８のいずれか１項に記載の撮像装置。
【請求項２０】
前記撮像装置の傾きを検知する傾斜検知部を備え、
前記表示制御部は、前記傾きを加味して、前記表示部の表示を変更する請求項１から１９のいずれか１項に記載の撮像装置。
【請求項２１】
表示部および撮像部を備える撮像装置の制御プログラムであって、
前記表示部とユーザとの距離を計測する計測ステップと、
前記撮像部を用いて、被写体を撮像して画像データを取得する取得ステップと、
前記計測ステップの計測結果に基づいて、前記表示部における前記画像データの画像表示および前記撮像部の機能設定表示の少なくとも一方の表示を変更するステップと
をコンピュータに実行させる、撮像装置の制御プログラム。
【発明の詳細な説明】
【技術分野】
【０００１】
本発明は、撮像装置および撮像装置の制御プログラムに関する。
【背景技術】
【０００２】
近年、デジタルカメラ等の撮像装置に複雑な機能が搭載されるに従って、ユーザが設定すべきメニュー項目の数が膨大となっている。そのため、撮像装置は、表示部の表示を画像表示からメニュー項目を含む機能設定表示に変更して各種機能の設定を可能にする。
［先行技術文献］
［特許文献］
［特許文献１］特開２００２−１８９５５２号公報
【発明の概要】
【発明が解決しようとする課題】
【０００３】
しかしながら、従来の装置では、ユーザは、表示部の表示を変更するために操作ボタン等を操作する必要があった。
【課題を解決するための手段】
【０００４】
本発明の第１の態様における撮像装置は、表示部と、表示部とユーザとの距離を計測する距離計測部と、被写体を撮像して画像データを取得する撮像部と、距離計測部の計測結果に基づいて、表示部における画像データの画像表示および撮像部の機能設定表示の少なくとも一方の表示を変更する表示制御部とを備える。
【０００５】
本発明の第２の態様における撮像装置の制御プログラムは、表示部および撮像部を備える撮像装置の制御プログラムであって、表示部とユーザとの距離を計測する計測ステップと、撮像部を用いて、被写体を撮像して画像データを取得する取得ステップと、計測ステップの計測結果に基づいて、表示部における画像データの画像表示および撮像部の機能設定表示の少なくとも一方の表示を変更する表示変更ステップとをコンピュータに実行させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】カメラシステムの要部断面図である。
【図２】カメラシステムの背面概観図である。
【図３】カメラシステムのブロック図である。
【図４】本実施形態の概念を説明する図である。
【図５】表示変更テーブルを説明する図である。
【図６】表示変更設定画面を示す図である。
【図７】本実施形態の第１実施例を示す図である。
【図８】本実施形態の第２実施例を示す図である。
【図９】本実施形態の第３実施例を示す図である。
【図１０】本実施形態の第４実施例を示す図である。
【図１１】表示変更処理を示すフロー図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係るカメラシステム１の要部断面図である。本実施形態では、撮像装置の一例として、カメラシステム１について説明する。カメラシステム１は、カメラ本体２と交換可能な撮影レンズ３を組み合わせて撮像装置として機能する、レンズ交換式一眼レフカメラである。
【００１０】
撮影レンズ３は、フォーカスレンズ、ズームレンズおよび防振レンズを含むレンズ群４、絞り５、カメラシステム１の振れを検出する角速度センサ６、レンズ群４を駆動する不図示の駆動装置等を備える。角速度センサ６は、少なくとも光軸に直交する２軸周りの角速度を検出する。駆動装置は、例えば振動波モータ、ＶＣＭにより構成される複数のモータを有し、フォーカスレンズを光軸方向に駆動し、防振レンズを光軸方向とは異なる方向に駆動する。また、撮影レンズ３は、撮影レンズ３の全体を制御すると共に、カメラ本体２と協働するレンズＣＰＵ７を有する。
【００１１】
カメラ本体２は、撮影レンズ３からの光束を反射してファインダー光学系１１に導く反射位置と、撮影レンズ３からの光束がＣＣＤ、ＣＭＯＳ等から構成される撮像素子１２に入射するように退避する退避位置とで揺動するメインミラー１３を備える。メインミラー１３の一部の領域は半透過領域となっており、カメラ本体２は、この半透過領域を透過した光束を焦点検出センサ１４へ反射するサブミラー１５を備える。サブミラー１５は、メインミラー１３に連動して揺動し、メインミラー１３が退避位置をとるときには、サブミラー１５も光束から退避する。なお、焦点検出センサ１４は、位相差方式により入射する光束の焦点状態を検出する。
【００１２】
反射位置にあるメインミラー１３で反射された光束は、焦点板１６、ペンタプリズム１７を介してファインダー光学系１１へ導かれる。ファインダー光学系１１は、複数のレンズから構成されており、ユーザはファインダー光学系１１により被写界を確認することができる。
【００１３】
ペンタプリズム１７を透過する光束の一部は測光センサ１８に導かれる。測光センサ１８は、撮影レンズ３へ入射する光束を複数の領域ごとに測光することにより、被写界の輝度分布を計測する。さらに、カメラ本体２は、撮影レンズ３のマウント部近傍で撮影レンズ３と干渉しない位置に、被写界の音を取り込むマイク３１と、ファインダー光学系１１の近傍にスピーカ３２を備える。
【００１４】
メインミラー１３が退避位置にあるときには、撮影レンズ３からの光束は、ローパスフィルタ１９を介して撮像素子１２に入射する。撮像素子１２の近傍には基板２０が設けられており、基板２０の後方には外部に面して背面モニタ３３が設けられている。背面モニタ３３の近傍には、超音波センサ、赤外線センサ等の測距センサ３４が設けられている。測距センサ３４は、ユーザと背面モニタ３３との距離を計測する。
【００１５】
図２は、カメラシステム１の背面概観図である。特に、背面モニタ３３にメニュー画面が表示されている様子を示す。図示するように、背面モニタ３３の近傍には、十字スイッチを有する操作スイッチ３５が設けられている。ユーザは操作スイッチ３５を操作して、メニュー画面上のカーソルを上下左右に移動させて特定のメニュー項目を選択する。操作スイッチ３５の中央には決定ボタンが設けられている。ユーザは決定ボタンを押下げることにより、カーソルで選択したメニュー項目の実行を指示する。また、上述のとおり、背面モニタ３３の近傍には、測距センサ３４が設けられている。
【００１６】
図３は、本実施形態に係るカメラシステム１のブロック図である。基板２０は、カメラ本体ＣＰＵ２１、撮像素子１２を駆動する駆動回路２２、撮像素子１２の出力をデジタル信号に変換するＡ／Ｄ変換回路２３、ＡＳＩＣで構成される画像処理制御回路２４、撮像素子１２からの信号の高周波成分を抽出するコントラストＡＦ回路２５、表示制御回路２６、などを有している。カメラ本体ＣＰＵ２１はカメラシステム１の全体を制御する。
【００１７】
画像処理制御回路２４は、デジタル信号に変換された画像信号に対してホワイトバランス調整、シャープネス調整、ガンマ補正、階調調整などの画像処理を施すと共に、ＪＰＥＧなどの画像圧縮を行って画像ファイルを生成する。生成された画像ファイルは、画像記録媒体４１に記憶される。画像記録媒体４１は、カメラ本体２に対して着脱可能なフラッシュメモリなどの記録媒体であっても良いし、カメラ本体２に内蔵されるＳＳＤ（Ｓｏｌｉｄ  Ｓｔａｔｅ  Ｄｒｉｖｅ）などの記録媒体であっても良い。
【００１８】
画像処理を施された画像信号は、表示制御回路２６の制御により、背面モニタ３３に表示される。撮影直後に撮影された画像信号を所定時間表示すれば、画像記録媒体４１に記録された画像ファイルに対応する画像をユーザに視認させるレックレビュー表示を実現できる。また、撮像素子１２が連続的に光電変換する被写界像を、画像記録媒体４１に記録することなく背面モニタ３３に逐次表示すればライブビュー表示を実現できる。さらに、撮像素子１２が連続的に光電変換する被写界像を、例えばＭＰＥＧ、Ｈ．２６４などの動画圧縮処理を画像処理制御回路２４で施して画像記録媒体４１に記録すれば、動画撮影を実現することができる。このとき、マイク３１で収集した被写界の音声も圧縮処理して、動画データに同期させて記録する。生成される動画像のフレームレートは、例えば３０ｆｐｓなど、複数のフレームレートから選択されて設定される。
【００１９】
コントラストＡＦ回路２５は、撮像素子１２からの撮像信号の高周波成分を抽出してＡＦ評価値信号を生成し、これが最大になるフォーカスレンズ位置を検出する。具体的には、画像処理制御回路２４から入力される画像信号から、バンドパスフィルタを用いて所定の高周波成分を抽出し、ピークホールド、積分等の検波処理を行ってＡＦ評価値信号を生成する。生成したＡＦ評価値信号は、カメラ本体ＣＰＵ２１に出力する。
【００２０】
レンズＣＰＵ７は、角速度センサ６で検出した手振れをキャンセルするように、撮影レンズ３内の防振レンズを光軸方向とは異なる方向に駆動して光学式手振れ補正を実現している。手振れ補正はこのような光学式手振れ補正に限らず、撮像素子１２に駆動機構を付与して、光軸方向とは異なる方向に駆動して手振れをキャンセルする撮像素子駆動式手振れ補正を採用することもできる。さらには、画像処理制御回路２４から出力された複数枚の画像間の動きベクトルを算出し、算出した画像間の動きベクトルをキャンセルするように画像読み出し位置を制御して手振れをキャンセルする電子式手振れ補正を採用することもできる。光学式手振れ補正および撮像素子駆動式手振れ補正は特に静止画撮影に好適であり、動画撮影にも適用される。電子式手振れ補正は動画撮影に好適である。これらの方式は、選択的、追加的に採用され得る。
【００２１】
測光センサ１８は、上述のように、撮影レンズ３へ入射する光束を複数の領域ごとに測光することにより被写界の輝度分布を計測する。測光センサ１８は計測結果をカメラ本体ＣＰＵ２１に出力する。カメラ本体ＣＰＵ２１では、選択された測光モードに応じて露出値を算出する。測光モードとしては、明るい部分と暗い部分のバランスを取る分割測光モード、画面中央を適正露出とする中央重点測光モード、選択したフォーカスポイントの狭領域を適正露出とするスポット測光モードなどが選択され得る。
【００２２】
フラッシュＲＯＭ４２は、ＥＥＰＲＯＭ（登録商標）であり、カメラシステム１を動作させるプログラムのほか、各種調整値、設定値を記憶する記憶装置である。具体的には、ＡＦ調整データ、ＡＥ調整データ、スイッチの設定履歴などを記憶している。特に、ユーザが設定する各種設定値は、カメラシステム１のメニュー項目として、種類に応じて複数に分類され、それぞれの分類の中でツリー構造状に階層化されて管理されている。なお、スイッチの設定履歴については後述する。
【００２３】
ＲＡＭ４３は、フラッシュＲＯＭ４２に記憶されたプログラムが展開され、カメラ本体ＣＰＵ２１が高速にアクセスできるＤＲＡＭなどの高速ＲＡＭである。特に頻繁に参照される各種調整値、設定値などもフラッシュＲＯＭ４２からコピーされ、カメラ本体ＣＰＵ２１からのアクセスを容易にする。表示制御回路２６は、上述のように画像処理された画像の他、フラッシュＲＯＭ４２から読み出したメニュー画面を背面モニタ３３へ表示する表示制御を行う。
【００２４】
傾斜センサ４４は、カメラシステム１の傾きを検知する。傾斜センサ４４は、加速度センサ、角速度センサ等で構成され、少なくともカメラシステム１の前後方向の傾きであるピッチ角を検知する。傾斜センサ４４は検出結果をカメラ本体ＣＰＵ２１に出力する。
【００２５】
測距センサ３４は、上述のとおりユーザと背面モニタ３３との距離を計測する。測距センサ３４は、カメラシステム１の背面のうち、背面モニタ３３に隣接して設置される。そして、測距センサ３４は、ユーザの顔が背面モニタ３３に近接したときに、その距離を計測して計測結果をカメラ本体ＣＰＵ２１に出力する。
【００２６】
レリーズＳＷ４５は、２段式のスイッチである。ユーザがレリーズＳＷ４５を半押しすると、カメラ本体ＣＰＵ２１は、オートフォーカス、測光などの撮影準備動作を行う。さらにユーザがレリーズＳＷ４５を全押しすると、カメラ本体ＣＰＵ２１は、静止画、動画の撮影動作を開始する。
【００２７】
図４は、本実施形態の概念を説明する図である。測距センサ３４は、背面モニタ３３の表示を観察しているユーザと背面モニタ３３との距離Ｄを計測する。
【００２８】
ユーザは、背面モニタ３３に表示された情報を観察する場合に、表示されている情報に応じて眼球と背面モニタ３３の距離を、意識的あるいは無意識に調整する。例えば、小さいアイコンが表示されていたり、文字が多く表示されていたりする場合には、老眼のユーザであれば背面モニタ３３を遠ざけ、近眼のユーザであれば近づける。したがって、何かの設定を確認する場合、ユーザは、操作スイッチ３５を操作して設定の表示を指示した上で、把持するカメラシステム１を遠ざけたり近づけたりする２段階の動作を実行しなければならなかった。
【００２９】
一方、本実施形態におけるカメラシステム１は、ユーザが最適と感じる画像表示の観察距離および機能設定表示の観察距離において、それぞれの表示が実行されるように制御する。すなわち、ユーザは、予め観察距離とその時に表示される表示内容を設定しておくことができ、カメラシステム１は、設定された内容を表示変更テーブルとして記録しておく。そして、カメラシステム１は、動作時において測距センサ３４によりユーザとの距離を観察距離として取得して、その結果を表示変更テーブルに照らし合わせて、背面モニタ３３に表示する内容を変更する。このような制御により、ユーザは、把持するカメラシステム１を遠ざけたり近づけたりするだけで、表示させたい内容を、その内容に対応する観察しやすい距離で、自動的に表示させることができる。以下に、その具体的な制御および表示画面の変更について詳細に説明する。
【００３０】
図５は、表示変更テーブルを説明する図である。表示変更テーブル５０は、表示制御回路２６が本実施形態における表示変更処理を実行する場合に参照するテーブルである。後述するように、表示変更テーブル５０は、ユーザによる指示に従って更新される。更新された表示変更テーブル５０は、フラッシュＲＯＭ４２に記憶される。
【００３１】
図５に示すように、表示変更テーブル５０には、「距離範囲」のそれぞれに対応して、「モード」および「変更内容」が規定されている。「距離範囲」には、測距センサ３４の測定可能範囲のうちの設定された距離の範囲が規定される。「モード」には、上述のライブビュー表示を行う「撮影モード」、画像記録媒体４１に記録されている画像データの表示を行う「再生モード」およびメニュー画面の表示を行う「機能設定モード」のいずれかが規定される。「変更内容」には、各モードにおいて変更する表示内容の態様が規定される。
【００３２】
図の例によれば、区分された距離範囲である「ｍｉｎ〜５０」、「５０〜１００」、「１００〜１５０」、「１５０〜２５０」、「２５０〜３００」、「３００〜４００」、「４００〜ｍａｘ」のそれぞれに対して第１設定行５１から第７設定行５７が規定されている。そして、表示変更テーブル５０は、第１設定行５１から第３設定行５３までの距離範囲が「再生」モードに対応し、第４設定行５４および第５設定行５５が「撮影」モードに対応し、第６設定行５６および第７設定行５７が「機能設定」モードに対応していることを示す。
【００３３】
そして、「再生」モードに対しては変更内容として「表示枚数」が規定されている。表示枚数の変更における具体的な内容として、第１設定行５１には「第１表示枚数」による表示が規定されており、同様に、第２設定行５２には「第２表示枚数」による表示が、第３設定行５３には「第３表示枚数」による表示が規定されている。例えば、測距センサ３４によって計測された距離が７０ｍｍであれば、距離７０ｍｍを含む距離範囲に対応する第２設定行５２が参照されて、再生モードに切り替えられた上で、第２表示枚数が同時に整列される画像表示が実行される。具体的な表示態様の変更については後述する。
【００３４】
また、「撮影」モードに対しては変更内容として「状態表示」が規定されている。状態表示の変更における具体的な内容として、第４設定行５４には「情報表示なし」による表示が規定されており、同様に、第５設定行５５には「情報表示あり」が規定されている。例えば、測距センサ３４によって計測された距離が２８０ｍｍであれば、距離２８０ｍｍを含む距離範囲に対応する第５設定行５５が参照されて、撮影モードに切り替えられた上で、画像表示として情報表示を伴うライブビュー表示が実行される。具体的な表示態様の変更については後述する。
【００３５】
また、「機能設定」モードに対しては変更内容として「階層切替」が規定されている。階層切替の変更における具体的な内容として、第６設定行５６には「第１階層表示」が規定されており、同様に、第７設定行５７には「第２階層表示」が規定されている。例えば、測距センサ３４によって計測された距離が３５０ｍｍであれば、距離３５０ｍｍを含む距離範囲に対応する第６設定行５６が参照されて、機能設定モードに切り替えられた上で、機能設定表示として第１階層のメニュー項目表示が実行される。具体的な表示態様の変更については後述する。
【００３６】
図６は、表示変更テーブルの更新処理を説明する図である。表示制御回路２６は、カメラ本体ＣＰＵ２１と協働し、ユーザの入力に応じて上述の表示変更テーブル５０を更新する。
【００３７】
図６（ａ）に示すように、表示制御回路２６は、メニュー画面の左端に、それぞれがタブとして分類される再生タブ６１、撮影タブ６２、セットアップタブ６３およびヘルプタブ６４を設ける。再生に関するメニュー項目群は再生タブ６１に纏められており、同様に、撮影に関するメニュー項目群は撮影タブ６２に、カメラシステム１の使用環境に関するメニュー項目群はセットアップタブ６３に纏められている。ヘルプタブ６４には、表示されている項目に関連するヘルプ表示があるときに選択できる説明項目群が纏められている。セットアップタブ６３に纏められているメニュー項目群に「表示変更テーブル設定」の項目が含まれている。ユーザがセットアップタブ６３を指定し「表示変更テーブル設定」の項目を指定した場合に、表示制御回路２６は図６（ａ）に示すメニュー画面を背面モニタ３３に表示させる。
【００３８】
図６（ａ）に示すように、メニュー画面上部のタイトル欄６５には、項目「表示変更テーブル設定」の名称が表示されている。タイトル欄６５の下側に、変更処理実行入力欄６６が設けられる。ユーザは、距離に応じた表示変更処理を実行したい場合には、変更処理実行入力欄６６の「ＹＥＳ」を選択する。一方、ユーザは、距離に応じた表示変更処理の実行を望まない場合には、変更処理実行入力欄６６の「ＮＯ」を選択する。なお、変更処理実行入力欄６６の入力情報はフラッシュＲＯＭ４２に記憶される。
【００３９】
表示制御回路２６は、変更処理実行入力欄６６の下側に、距離範囲入力欄６７、モード入力欄６８および変更内容入力欄６９を設ける。図６（ａ）のメニュー画面において、第１入力行７０、第２入力行７１および第３入力行７２は、表示変更テーブル５０の第１設定行５１、第２設定行５２および第３設定行５３の各項目の設定内容を示す。第３入力行７２の下にスクロール操作マーク７３が設けられる。ユーザのスクロール操作マーク７３の操作に応じて、表示制御回路２６は、表示変更テーブル５０の第４設定行５４以降の設定行を第１入力行７０、第２入力行７１および第３入力行７２にスクロール表示させる。
【００４０】
変更内容入力欄６９の右側に、第１入力行７０および第２入力行７１の間に入力行の挿入を指示するための第１挿入マーク７４と、第２入力行７１および第３入力行７２の間に入力行の挿入を指示するための第２挿入マーク７５とが設けられる。ユーザは、カーソルで第１挿入マーク７４または第２挿入マーク７５を指定した場合に、表示制御回路２６は、指定された挿入マークに対応する箇所に新たな入力行を挿入する。
【００４１】
ユーザは、距離範囲入力欄６７の各数値を変更して、各入力行に表示されている設定行における距離範囲を変更する。また、ユーザは、モード入力欄６８の中から１つのモードを選択して、各入力行に表示されている設定行のモードを指定する。さらに、ユーザは、変更内容入力欄６９の有無を選択して、各入力行に表示されている設定行の変更内容の有無を指定する。
【００４２】
ユーザが変更内容入力欄６９で「有」を指定した場合に、表示制御回路２６は変更内容を入力するためのメニュー画面を背面モニタ３３に表示させる。図６（ｂ）は、図６（ａ）における第１入力行７０の変更内容入力欄６９で「有」が指定された場合のメニュー画面である。図６（ｂ）に示すように、第１項目欄７６、第２項目欄７７および第３項目欄７８が画面中央に設けられる。第１項目欄７６、第２項目欄７７および第３項目欄７８には、「状態表示」、「画角変更」および「動画再生速度」がそれぞれ表示される。「状態表示」、「画角変更」および「動画再生速度」の項目は、第１入力行７０のモード入力欄６８で指定されている「再生」モードの画像表示における内容変更処理の項目である。詳細については後述する。
【００４３】
ユーザが第１項目欄７６、第２項目欄７７および第３項目欄７８に表示されるメニュー項目を指定した場合に、表示制御回路２６は当該項目の詳細な変更内容を入力するためのメニュー画面を背面モニタ３３に表示させる。図６（ｃ）は、図６（ｂ）における「状態表示」が指定された場合のメニュー画面である。図６（ｃ）に示すように、表示枚数を入力するための枚数入力欄７９が画面中央に設けられる。ユーザは枚数入力欄７９に枚数を入力した場合に、カメラ本体ＣＰＵ２１は、図６（ａ）、図６（ｂ）および図６（ｃ）のメニュー画面での入力情報に応じて、表示変更テーブル５０を更新する。
【００４４】
ここで、本実施形態の表示変更処理について画面例を用いて説明する。本実施形態において、背面モニタ３３および測距センサ３４は、表示部および距離計測部としてそれぞれ機能する。また、レンズＣＰＵ７、撮像素子１２、駆動回路２２、Ａ／Ｄ変換回路２３および画像処理制御回路２４は、被写体を撮像して画像データを取得する撮像部として機能する。そして、表示制御回路２６は、カメラ本体ＣＰＵ２１と協働して、本実施形態の表示変更処理を実行する表示制御部として機能する。なお、本実施形態において、表示制御回路２６は、図５に示す表示変更テーブルを参照して表示変更処理を実行する。
【００４５】
図７は、本実施形態の第１実施例を示す図である。第１実施例は、ユーザと背面モニタ３３との距離が上述の表示変更テーブル５０における第６設定行５６の距離範囲から第５設定行５５の距離範囲に変化した場合における表示変更処理である。
【００４６】
まず、測距センサ３４で計測された距離が第６設定行５６で規定する距離範囲に属する場合、例えば３５０ｍｍの場合、表示制御回路２６は、第６設定行の情報に応じて、機能設定モードにおける第１階層のメニュー画面を背面モニタ３３に表示させる。本実施例において、図７（ａ）で示すように、撮影メニューの第１階層が表示されている。
【００４７】
ここで、ユーザが被写体を撮影するためにカメラシステム１を自身に近付ける。測距センサ３４で計測された距離が３００ｍｍになるまで撮影メニューの第１階層の表示が継続される。測距センサ３４で計測された距離が３００ｍｍ未満になった場合、表示制御回路２６は、第５設定行５５の情報に応じて、図７（ｂ）に示すように、撮影モードにおける状態情報欄８０が重畳されたライブビュー表示に変更する。
状態情報欄８０には、カメラシステム１の充電状態、画像サイズ、シャッター速度、Ｆ値、ＩＳＯ感度設定値などの情報を含む。状態情報欄８０の左から２番目のアイコンは、上述の手振れ補正が自動で実行される「オート手振れ補正」が設定されていることを示す。また、状態情報欄８０の左から３番目のアイコンは、上述した測光モードのうちの「スポット測光モード」が設定されている。
【００４８】
第１実施例によれば、ユーザは、カメラシステム１を撮影するポジションまで移動させるだけで、操作ボタン等を操作することなく機能設定モードの機能設定表示から撮影モードの画像表示に切り替えられる。なお、異なるモードの表示への変更は、機能設定モードにおける機能設定表示と撮影モードにおける画像表示との間の変更に限らない。表示変更テーブル５０の設定により、機能設定モードの機能設定表示と再生モードの画像表示との間の変更および撮影モードの画像表示と再生モードの画像表示との間の表示変更も行うことができる。
【００４９】
図８は、本実施形態の第２実施例を示す図である。第２実施例は、ユーザと背面モニタ３３との距離が上述の表示変更テーブル５０における第４設定行５４の距離範囲から第５設定行５５の距離範囲に変化した場合における表示変更処理である。
【００５０】
まず、測距センサ３４で計測された距離が第４設定行５４で規定する距離範囲に属する場合、例えば２００ｍｍの場合、表示制御回路２６は、第４設定行の情報に応じて、撮影モードにおける情報表示なしの画像表示を背面モニタ３３に表示させる。本実施例において、図８（ａ）で示すように、撮影モードにおける状態情報表示を伴わないライブビュー表示が表示されている。
【００５１】
ここで、ユーザがカメラシステム１の状態情報を確認するためにカメラシステム１を自身から遠ざける。測距センサ３４で計測された距離が２５０ｍｍになるまで撮影メニューの第１階層の表示が継続される。測距センサ３４で計測された距離が２５０ｍｍ以上になった場合、表示制御回路２６は、第５設定行５５の情報に応じて、図８（ｂ）に示すように、撮影モードにおける状態情報欄８０が重畳されたライブビュー表示に変更する。
【００５２】
第２実施例によれば、ユーザは、カメラシステム１を撮影ポジションから遠ざけるだけで、操作ボタン等を操作することなく撮影モード時に撮像部の状態を確認できる。なお、撮影モードの画像表示の内容変更処理は、状態表示処理に限らない。測距センサ３４で計測された距離に応じてレンズＣＰＵ７が実行するレンズ群４のズームレンズの移動に伴ってライブビュー表示の画角を変更する処理が一例として挙げられる。
【００５３】
図９は、本実施形態の第３実施例を示す図である。第３実施例は、ユーザと背面モニタ３３との距離が上述の表示変更テーブル５０における第３設定行５３の距離範囲から第１設定行５１の距離範囲に変化した場合における表示変更処理である。
【００５４】
まず、測距センサ３４で計測された距離が第３設定行５３で規定する距離範囲に属する場合、例えば１２０ｍｍの場合、表示制御回路２６は、第３設定行の情報に応じて、再生モードにおける２５枚の画像を背面モニタ３３に同時に表示させる。本実施例において、図９（ａ）で示すように、再生モードにおける２５枚の画像が５×５の配置で表示されている。
【００５５】
ここで、ユーザが画像の詳細を確認するためにカメラシステム１を自身に近づける。測距センサ３４で計測された距離が１００ｍｍになるまで再生モードにおける２５枚の画像の同時表示が継続される。測距センサ３４で計測された距離が１００ｍｍ未満になった場合、表示制御回路２６は、第２設定行５２の情報に応じて、図９（ｂ）に示すように、再生モードにおける背面モニタ３３の中心部の画像を基準とした９枚の画像表示に変更する。
【００５６】
さらに、ユーザが画像の詳細を確認するためにカメラシステム１を自身に近づける。測距センサ３４で計測された距離が５０ｍｍになるまで再生モードにおける９枚の画像の同時表示が継続される。測距センサ３４で計測された距離が５０ｍｍ未満になった場合、表示制御回路２６は、第１設定行５１の情報に応じて、図９（ｃ）に示すように、再生モードにおける背面モニタ３３の中心部の画像１枚の画像表示に変更する。
【００５７】
第３の表示変更例によれば、ユーザは、詳細確認のためにカメラシステム１を近づけるだけで、操作ボタン等を操作することなく背面モニタ３３に同時に表示する画像の枚数を減らすことができる。なお、再生モードの画像表示の内容変更処理は、表示枚数の変更処理に限らない。測距センサ３４で計測された距離に応じた画像の拡大処理または縮小処理が一例として挙げられる。また、動画の再生モードにおいて、測距センサ３４で計測された距離に応じた動画再生速度の変更処理も一例として挙げられる。
【００５８】
図１０は、本実施形態の第４実施例を示す図である。第４実施例は、ユーザと背面モニタ３３との距離が上述の表示変更テーブル５０における第６設定行５６の距離範囲から第７設定行５７の距離範囲に変化した場合における表示変更処理である。
【００５９】
まず、測距センサ３４で計測された距離が第６設定行５６で規定する距離範囲に属する場合、例えば３５０ｍｍの場合、表示制御回路２６は、第６設定行の情報に応じて、機能設定モードにおける第１階層のメニュー画面を背面モニタ３３に表示させる。本実施例において、図１０（ａ）で示すように、撮影メニューの第１階層が表示されている。
【００６０】
ここで、ユーザが次の階層に移行させるためにカメラシステム１を自身から遠ざける。測距センサ３４で計測された距離が４００ｍｍになるまで撮影メニューの第１階層の表示が継続される。測距センサ３４で計測された距離が４００ｍｍ以上になった場合、表示制御回路２６は、第７設定行５７の情報に応じて、図１０（ｂ）に示すように、撮影メニューの第２階層の表示に変更する。
【００６１】
第３の表示変更例によれば、ユーザは、操作ボタン等を操作することなく、メニュー項目群の次の階層に移行できる。なお、機能設定モードの画像表示の内容変更処理は、階層移動に限らない。測距センサ３４で計測された距離に応じたカーソルの位置変更処理が一例として挙がれられる。また、測距センサ３４で計測された距離に応じたメニュー画面のメニュー項目数の変更処理も一例として挙げられる。
【００６２】
図１１は、表示変更処理を示すフロー図である。本実施形態において、表示制御回路２６は、カメラ本体ＣＰＵ２１と協働して表示変更処理を実行する。表示制御回路２６は、カメラシステム１の電源がオンになった場合に表示変更処理のフローを開始する。
【００６３】
ステップＳ１０１において、表示制御回路２６は、ユーザと背面モニタ３３との距離に応じた表示変更処理を実行するか否かを判断する。具体的には、表示制御回路２６は、ユーザが上述の表示変更設定画面において、表示変更処理を実行すると設定しているか否かを判断する。なお、ユーザの設定情報はフラッシュＲＯＭ４２に記憶されており、表示制御回路２６はフラッシュＲＯＭ４２を参照して判断する。表示制御回路２６は、表示変更処理を実行すると判断した場合にはステップＳ１０２に移行し、表示変更処理を実行しないと判断した場合にはステップＳ１０９に移行する。
【００６４】
ステップＳ１０２において、カメラ本体ＣＰＵ２１は、測距センサ３４を制御してユーザと背面モニタ３３との距離を計測する。そして、カメラ本体ＣＰＵ２１は、測距センサ３４の計測結果の情報を表示制御回路２６に送信する。
【００６５】
ステップＳ１０３において、表示制御回路２６は、カメラ本体ＣＰＵ２１から取得した測距センサの計測結果の情報を用いて、背面モニタ３３の現在の表示状態を維持するか否かを判断する。例えば、表示制御回路２６は、表示変更テーブル５０を参照し、計測結果が示す距離が現在の表示モードに対応付けられた距離範囲に属し且つ変更内容が無しになっている場合に、背面モニタ３３の現在の表示状態を維持すると判断する。なお、表示状体の維持は、測距センサ３４の計測結果に応じて背面モニタの表示モードおよび表示内容を変更しないことである。表示制御回路２６は、ステップＳ１０３において背面モニタ３３の現在の表示状態を維持すると判断した場合であっても、ユーザの操作スイッチ３５の操作に応じて背面モニタ３３の表示を変更する。
【００６６】
また、表示制御回路２６は、ステップＳ１０２の計測結果がエラーを示す場合に、背面モニタ３３の現在の表示状態を維持すると判断してもよい。ユーザが、一時的に表示状態を維持したい場合に、測距センサ３４を指で塞いで測距センサ３４にエラーを検知させることができる。表示制御回路２６は、背面モニタ３３の現在の表示状態を維持すると判断した場合にはステップＳ１１３に移行し、背面モニタ３３の現在の表示状態を維持しないと判断した場合にはステップＳ１０４に移行する。
【００６７】
ステップＳ１０４において、表示制御回路２６は、表示変更テーブルを参照して、モード切替による表示変更処理を実行するか否かを判断する。例えば、表示制御回路２６は、機能設定表示を行っている場合においてステップＳ１０２で計測された距離が画像表示に対応付けられた距離範囲に属する場合に、モード切替による表示変更処理を実行すると判断する。表示制御回路２６は、モード切替による表示変更処理を実行すると判断した場合にはステップＳ１０６に移行し、モード切替による表示変更処理を実行しないと判断した場合にはステップＳ１０５に移行する。
【００６８】
ステップＳ１０５において、表示制御回路２６は、表示変更テーブルを参照して、画像表示の内容を変更するか否かを判断する。例えば、表示制御回路２６は、画像表示を行っている場合において、表示変更テーブル５０において変更内容が設定されている場合に、モード切替による表示変更処理を実行すると判断する。表示制御回路２６は、画像表示の内容を変更すると判断した場合にはステップＳ１０７に移行し、画像表示の内容を変更しないと判断した場合にはステップＳ１０８に移行する。
【００６９】
ステップＳ１０６において、表示制御回路２６は、モード切替による表示変更処理を実行する。具体的な処理方法は、第１の表示変更例で上述したとおりである。
【００７０】
ステップＳ１０７において、表示制御回路２６は、画像表示の内容変更処理を実行する。具体的な処理方法は、第２の表示変更例および第３の表示変更例で上述したとおりである。
【００７１】
ステップＳ１０８において、表示制御回路２６は、機能設定表示の内容変更処理を実行する。具体的な処理方法は、第４の表示変更例で上述したとおりである。
【００７２】
ステップＳ１１３において、表示制御回路２６は、本フローを終了するか否かを判断する。例えば、表示制御回路２６は、カメラシステム１の電源がオフになった場合または撮影モード、再生モードおよび機能設定モードと異なるモードに移行した場合に、本フローを終了すると判断する。表示制御回路２６は、本フローを終了しないと判断した場合にはステップＳ１０１へ戻る。
【００７３】
表示制御回路２６は、ステップＳ１０１で表示変更処理を実行しないと判断した場合に、カメラ本体ＣＰＵ２１と協働して、ユーザの操作に応じた表示および操作時のユーザと背面モニタ３３との距離の関連性を示す履歴情報を取得する。まず、ステップＳ１０９において、カメラ本体ＣＰＵ２１は、操作スイッチ３５から操作情報を取得する。次に、ステップＳ１１０において、表示制御回路２６は、操作情報が示す操作に応じた背面モニタ３３の表示状態を判別する。また、ステップＳ１１１において、カメラ本体ＣＰＵ２１は、操作スイッチ３５の操作に連動して測距センサ３４を制御し、ユーザと背面モニタ３３との距離を計測する。
【００７４】
ステップＳ１１２において、カメラ本体ＣＰＵ２１は、ステップＳ１１０において判別した表示状態と、ステップＳ１１１において計測された距離とを対応付けた履歴情報をフラッシュＲＯＭ４２に記憶させる。表示制御回路２６は、履歴情報を参照して、上述の表示変更処理を実行してもよい。具体的には、表示制御回路２６は、ユーザ操作によって撮影メニューの画像表示を行う距離範囲、再生メニューの画像表示を行う距離範囲および機能設定表示を行う距離範囲を計算する。そして、表示制御回路２６は、計算結果に基づいて、上述のモード切替による表示変更処理を実行する。なお、カメラ本体ＣＰＵ２１は、履歴情報を用いて表示変更テーブル５０を更新してもよい。
【００７５】
上記実施形態において、表示制御回路２６は、測距センサ３４が計測した距離の単位時間あたりの変化量を加味して上述の表示変更処理を実行してもよい。例えば、表示制御回路２６は、機能設定表示が背面モニタ３３に表示されている場合に、距離の単位時間あたりの変化量が閾値以上であれば距離に応じて階層メニューの階層を変更する処理を実行し、距離の単位時間あたりの変化量が閾値未満であれば距離に応じてカーソルの位置を変更する。上述の表示変更テーブル５０において、距離の単位時間あたりの変化量、モードおよび変更内容の情報も対応付けられていてもよい。
【００７６】
また、上記実施形態において、表示制御回路２６は、測距センサ３４の計測結果に応じて背面モニタ３３の輝度を変更してもよい。例えば、表示制御回路２６は、背面モニタ３３がユーザに近づくにつれて背面モニタ３３の輝度を低くする。
【００７７】
さらに、上記実施形態において、表示制御回路２６は、傾斜センサ４４が検知したカメラシステム１の傾きを加味して上述の表示変更処理を実行してもよい。具体的には、表示制御回路２６は、傾斜センサ４４が検知したカメラシステム１のピッチ角が予め定められた角度以上、例えば４５度以上である場合に、ユーザがカメラシステム１を前傾して機能設定を行うと判断する。そして、表示制御回路２６は、機能設定表示を背面モニタ３３に表示させ、上述の機能設定表示の内容変更処理を実行する。その後、カメラシステム１のピッチ角が予め定められた角度未満に戻った場合に、表示制御回路２６は、機能設定が完了したと判断して、機能設定表示の内容変更処理を中止する。
【００７８】
また、上記実施形態においては、レンズ交換式一眼レフカメラであるカメラシステム１を撮像装置の例として説明したが、当然カメラシステム１への適用に限らない。コンパクトデジタルカメラ、ミラーレス一眼カメラおよびビデオカメラはもちろん、携帯電話、ゲーム機器等の撮像装置であれば、上述の概念はいずれも適用できる。
【００７９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８１】
１  カメラシステム、２  カメラ本体、３  撮影レンズ、４  レンズ群、５  絞り、６  角速度センサ、７  レンズＣＰＵ、１１  ファインダー光学系、１２  撮像素子、１３  メインミラー、１４  焦点検出センサ、１５  サブミラー、１６  焦点板、１７  ペンタプリズム、１８  測光センサ、１９  ローパスフィルタ、２０  基板、２１  カメラ本体ＣＰＵ、２２  駆動回路、２３  Ａ／Ｄ変換回路、２４  画像処理制御回路、２５  コントラストＡＦ回路、２６  表示制御回路、３１  マイク、３２  スピーカ、３３  背面モニタ、３４  測距センサ、３５  操作スイッチ、４１  画像記録媒体、４２  フラッシュＲＯＭ、４３  ＲＡＭ、４４  傾斜センサ、４５  レリーズＳＷ、５０  表示変更テーブル、５１  第１設定行、５２  第２設定行、５３  第３設定行、５４  第４設定行、５５  第５設定行、５６  第６設定行、５７  第７設定行、６１  再生タブ、６２  撮影タブ、６３  セットアップタブ、６４  ヘルプタブ、６５  タイトル欄、６６  変更処理実行入力欄、６７  距離範囲入力欄、６８  モード入力欄、６９  変更内容入力欄、７０  第１入力行、７１  第２入力行、７２  第３入力行、７３  スクロール操作マーク、７４  第１挿入マーク、７５  第２挿入マーク、７６  第１項目欄、７７  第２項目欄、７８  第３項目欄、７９  枚数入力欄、８０  状態情報欄
【図１】
2013008193.tif 000003
【図２】
2013008193.tif 000004
【図３】
2013008193.tif 000005
【図４】
2013008193.tif 000006
【図５】
2013008193.tif 000007
【図６】
2013008193.tif 000008
【図７】
2013008193.tif 000009
【図８】
2013008193.tif 000010
【図９】
2013008193.tif 000011
【図１０】
2013008193.tif 000012
【図１１】
2013008193.tif 000013